(57)【要約】【課題】薄くて軽いうえにコールドポイントがなく、ふっくら感を維持できるようにすること。【解決手段】表地１２と裏地１３とで挟まれる部分に複数の収納部１４を有し、これらの収納部１４に充填物１５が充填された寝袋１１において、すべての収納部１４を同一方向に長い細長形状にする。これら収納部１４は、収納部１４の長手方向と直交する方向の縦断面形状において、隣接する収納部１４同士の間の厚み方向の上方又は下方に別の収納部１４が隣接するように仕切り１６を隔てて配設する。充填物１５としては、引き揃えられた長繊維からなる長繊維綿１５ａを用い、長繊維綿１５ａを、長繊維綿１５ａの長手方向と収納部１４の長手方向が一致し、収納部の長手方向の端から端まで延びるように収納する。【選択図】図１
2014226336.tif 000002
【特許請求の範囲】
【請求項１】
表地と裏地とで挟まれる部分に複数の収納部を有し、これらの収納部に充填物が充填された寝袋であって、
前記すべての収納部が同一方向に長い細長形状に形成され、
これら収納部が、収納部の長手方向と直交する方向の縦断面形状において、隣接する収納部同士の間の厚み方向の上方又は下方に別の収納部が隣接するように仕切りを隔てて配設されるとともに、
前記充填物として、引き揃えられた長繊維からなる長繊維綿を用い、
該長繊維綿が、長繊維綿の長手方向と前記収納部の長手方向が一致するように収納された
寝袋。
【請求項２】
前記長繊維綿が、芯糸に花糸を一体化したものである
請求項１に記載の寝袋。
【請求項３】
前記収納部の長手方向が当該寝袋の長手方向と同一である
請求項１または請求項２に記載の寝袋。
【請求項４】
前記収納部間を仕切る前記仕切りが、前記表地と前記裏地を収納部の長手方向と直交する方向に張りを与えたときでも表地又は裏地に引っ張られないゆとりを有する
請求項１から請求項３のうちのいずれか一項に記載の寝袋。
【請求項５】
前記仕切りがメッシュ地で構成された
請求項１から請求項４のうちのいずれか一項に記載の寝袋。
【請求項６】
前記仕切りが、前記表地と前記裏地のそれぞれに対して、幅方向の中間位置が間隔をあけて平行に配設された帯状をなす仕切り担体の両側縁同士を結合して形成された
請求項１から請求項５のうちのいずれか一項に記載の寝袋。
【発明の詳細な説明】
【技術分野】
【０００１】
この発明は、就寝する人体を包む寝袋に関し、より詳しくは、コールドポイントができないうえに、充填物の抜けがなくふっくら感を維持できるような寝袋に関する。
【背景技術】
【０００２】
寝袋は、図６（ａ）に示したように構成されていた。すなわち寝袋１００は、上下に重ねた表地１０１と裏地１０２を、間隔をあけて縫い合わせて形成された複数の収納部１０３を有し、これらの収納部１０３に充填物としての羽毛１０４が充填された構成である。
【０００３】
しかし、羽毛１０４は表地１０１や裏地１０２から抜けやすく、充填量が少ないと偏りも生じやすい。しかも羽毛１０４は、狭いところに積極的に入り込むことはないので、図６（ａ）に仮想線で示したように、縫い目１０５から離れた位置に固まりやすい。このため、寒気が入り込むコールドポイントが収納部１０３間の縫い目１０５部分にできる。この部分の近傍には、ふっくら感もない、
このようなコールドポイントをなくすため、下記特許文献１の寝袋が提案された。
【０００４】
この寝袋１０６は、図６（ｂ）に示したように、シート状保温材層１０７の表面に表地１０１を、裏面に裏地１０２をそれぞれ当てて、表地１０１とシート状保温材層１０７、裏地１０２とシート状保温材層１０７を、縫い目１０５が合わないようにずらして縫い合わせて複数の収納部１０３を形成し、これらの収納部１０３に羽毛１０４を充填した構成である。
【０００５】
しかし、羽毛１０４であるので抜けやすいという難点は残る。また、コールドポイントはできないものの、シート状保温材層１０７にはある程度の厚みが必要であり、その両面に互い違いに収納部１０３を有した構造であるので、厚みが厚くなってしまう上に、重量も重くなってしまう。コンパクトさと軽量さが要求される寝袋１０６には、不都合である。
【０００６】
また、図６（ａ）のような構成の寝袋１００では、寝袋１００の収納部１０４は通常、細長形状に形成されているので、その長手方向と直交する方向に引っ張ると、表地１０１や裏地１０２自体はのびないものの、寝袋１００がのびる方向に変形し、この変形によって収納部１０３内の羽毛１０４が圧縮される。つまり、人体の荷重で圧縮されるばかりでなく、引っ張られても圧縮される。そして、のびるような変形によって羽毛１０４が圧縮されても羽毛１０４がコールドポイントのできる部分に移動することはないので、人体が入り込んだ使用状態では、体重がかかっていない部分でも圧縮されているのに近い状態となって、コールドポイントの問題を顕著に感じることがある。
【０００７】
図６（ｂ）のような構成の寝袋１０６では、基本的にコールドポイントはできない。しかしながら、表地１０１や裏地１０２が引っ張られて、のびる方向に変形すると、体重がかかっていない部分でも圧縮されているのに近い状態となるのは前述と同様である。それに、羽毛１０４の抜けと相まって、ふっくら感が失われやすい。
【先行技術文献】
【特許文献】
【０００８】
【特許文献１】実開昭６２−２０５７０号公報
【発明の概要】
【発明が解決しようとする課題】
【０００９】
そこで、この発明は、薄くて軽いうえにコールドポイントがなく、ふっくら感を維持できるようにすることを主な目的とする。
【課題を解決するための手段】
【００１０】
そのための手段は、表地と裏地とで挟まれる部分に複数の収納部を有し、これらの収納部に充填物が充填された寝袋であって、前記すべての収納部が同一方向に長い細長形状に形成され、これら収納部が、収納部の長手方向と直交する方向の縦断面形状において、隣接する収納部同士の間の厚み方向の上方又は下方に別の収納部が隣接するように仕切りを隔てて配設されるとともに、前記充填物として、引き揃えられた長繊維からなる長繊維綿を用い、該長繊維綿が、長繊維綿の長手方向と前記収納部の長手方向が一致するように収納された寝袋である。
【００１１】
この構成では、細長形状の収納部が厚み方向において一部重なり合い、補完し合うように配置されており、表地と裏地を一緒に通る縫い目は不要で、寒気が入るコールドポイントはない。そして、各収納部に収納された充填物は、仕切りを固定する縫い目部分を中心に互い違いに存在し、保温するとともに荷重を支える。
【００１２】
充填物としての長繊維綿は、細長い形状の収納部に長手方向を一致させた状態で引き揃えられて存在する。収納部の端から端まで延びるように収納されることで、長繊維綿は、収納部の長手方向全体にわたって均等に保温や荷重を支持の役割を果たし、収納部から抜けることもない。そのうえ、長繊維綿ののびる方向と収納部の延びる方向は同一であるので、長繊維綿は、収納部の比較的端の方でも機能し得る。
【発明の効果】
【００１３】
この発明によれば、互い違いに配設された収納部を有するので、コールドポイントをもたない。そのうえ、収納部を細長形状とし、その長手方向にのびるように引き揃えた長繊維綿からなる充填物を収納したので、収納部の比較的隅々まで長繊維綿をいきわたらせることができる上に、羽毛のような抜けもないので、ふっくら感を維持できる。
【図面の簡単な説明】
【００１４】
【図１】寝袋の断面図。
【図２】寝袋の正面図。
【図３】仕切りの構成態様を示す断面図。
【図４】充填物の斜視図。
【図５】寝袋の作用状態を示す断面図。
【図６】従来の寝袋の断面図。
【発明を実施するための形態】
【００１５】
この発明を実施するための一形態を、以下図面を用いて説明する。  
図１は、寝袋１１の一部分の断面図で、図２は寝袋１１の全体を示す正面図である。
【００１６】
これらの図に示すように、表地１２と裏地１３で挟まれる部分に複数の収納部１４を有し、これらの収納部１４に充填物１５が充填されている。
【００１７】
前記収納部１４は、図１に示したようにすべて同一方向に長い細長形状に形成されている。収納部１４の長さ方向は寝袋１１の長手方向と同一である。
【００１８】
この例では、マミー型の寝袋１１を図示したが、封筒型やラップ型、２本足独立型等の寝袋であっても同様である。
【００１９】
収納部１４を長手方向と直交する方向で切断した断面構造を示すのが、図１である。この図に示すように、収納部１４は、左右方向に隣接する収納部１４同士の間の厚み方向の上方又は下方に別の収納部１４が隣接するように柔軟なシート状の仕切り１６を隔てて配設されている。つまり、上下方向に隙間をあけて平行に並ぶ表地１２と裏地１３の間に、収納部１４の長手方向と直交する方向の断面において、表地１２、裏地１３、表地１２、裏地１３と、ジグザグに順に接合されて延びる形状の仕切り１６を有する。仕切り１６の表地と裏地１３に対する接合は、縫い付けで行っている。図中、１２ａ，１３ａは縫い目である。
【００２０】
この仕切り１６は、表地１２と裏地１３を収納部１４の長手方向と直交する方向に張りを与えてピンと張ったときでも表地１２又は裏地１３に引っ張られないゆとりを有する。換言すれば、表地１２又は裏地１３における隣り合う縫い目１２ａ，１３ａ間の長さよりも、これらの間にＶ字状又は逆Ｖ字状に延びる仕切り１６の長さの方が、充填物の充填を考慮しても長くなるように設定されている。
【００２１】
仕切り１６は、メッシュ地からなるが、そのほか、適宜の生地や不織布等を用いることができる。仕切り１６の厚さは薄く、重量は軽いほうが望ましい。
【００２２】
図３は、仕切り１６の具体的な構成を示す断面図である。すなわち、帯状をなす仕切り担体１６ａの幅方向の中間位置を所定の間隔をあけて平行に並ぶように、表地１２と裏地１３に縫い付けて、これらを備えた表地１２と裏地１３を、図３に仮想線で示したように、仕切り担体１６ａの幅方向両側縁同士の接合で一体化する。この接合も縫い付けて行う。
【００２３】
各収納部１４の幅方向の大きさは、幅方向の両端に位置する収納部１４を除いて基本的に同一の大きさに設定するとよく、その大きさは、寝袋に求める性能に応じて適宜設定される。
【００２４】
収納部１４に充填する充填物１５には、長繊維からなる長繊維綿１５ａを用い、図４に示したように、多数本の長繊維綿１５ａを引き揃えた状態で収納する。収納する長繊維綿１５ａの長さは、収納部１４の長手方向の端から端までの長さである。つまり、長繊維綿１５ａの収納は、長繊維綿１５ａの長手方向が収納部１４の長手方向と一致するように行う。そして、収納した長繊維綿１５ａの長手方向の両端部は、表地１２と裏地１３を縫い合わせて縁を閉じるときに一緒に留める。引き揃える長繊維綿１５ａの本数は、所望とする寝袋１１の厚さに応じて適宜設定される。
【００２５】
この長繊維綿１５ａには、芯糸に花糸を一体化して、芯糸の全周に花糸が飛びだした状態のものを使用する。具体的には、倉敷紡績株式会社製の「エアーフレイク／Ａｉｒ  Ｆｌａｋｅ」（登録商標）が好ましい。「エアーフレイク」は軽量で柔らかく、保温性が良いうえに、圧縮されたのちの復元性にも優れるからである。
【００２６】
以上のような各部を有する寝袋１１（図２参照）では、つぎのような作用効果を有する。なお、図２中、１７はスライドファスナである。
【００２７】
表地１２と裏地１３には仕切り１６を縫い付けるための縫い目１２ａ，１３ａがあるが、この縫い目１２ａ，１３ａは表地１２と裏地１３を貫通していない。このため、コールドポイントは存在しないので、寒気が入り込むのを抑制できる。
【００２８】
また長繊維綿１５ａを収納する収納部１４は、厚み方向で互い違いに仕切り１６を介して配設されているので、仕切り１６を取り付けるための前記縫い目１２ａ，１３ａ部分を中心に長繊維綿１５ａが存在することになり、縫い目１２ａ，１３ａからの寒気による影響を極力抑えることができる。
【００２９】
しかも長繊維綿１５ａは、その長手方向と収納部１４の長手方向が一致しているので、線状の長繊維綿１５ａを収納部１４の隅々まで（収納部１４の幅方向及び長手方向の端から端まで）いきわたらせることができる。そのうえ、長繊維綿１５ａは収納部１４の長手方向の端から端までの長さを有するので、いわば線である長繊維綿１５ａの長さを生かして不要な偏りを防止できるとともに、厚み方向で隣接する収納部１４内の長繊維綿１５ａ同士が重なり合うような状態を得ることもでき、収納部１４の幅方向の端においてもふっくら感を出すことができる。
いわば点としての羽毛を充填物とした場合とは異なって、充填物の抜けもない、高性能の寝袋１１となる。
【００３０】
また、寝袋１１の厚みは充填する長繊維綿１５ａの本数で決まるので、厚さの管理が容易に行える。この効果は、仕切り１６を仕切り担体１６ａの接合で形成する構成としたことで、縫製作業に際して収納部１６の大きさを均一に保つことが容易になることによっても、高めることができる。
【００３１】
充填物に関して付言すれば、羽毛の場合には充填時に羽毛を吹き込む必要があるが、長繊維綿１５ａの場合には、長尺であるので、例えば筒に利用して滑り込ませるなどして充填することができるので、作業が容易で、作業環境の劣化も抑えられる。
【００３２】
長繊維綿１５ａは、芯糸に花糸を一体化したものであってふっくら感に優れるので、図５に仮想線で示したように、荷重を柔軟に支え、保温性や復元性がよい。そして、仕切り１６の長さにゆとりを持たせているので、たとえ表地１２が変形したとしても、それのみによって仕切り１６を介して裏地１３が変形することはない。
【００３３】
また、たとえ表地１２や裏地１３が、収納部１４の長手方向と直交する方向（幅方向）に引っ張られても、内部の仕切り１６や長繊維綿１５ａには何ら外力はかからない。つまり、表地１２や裏地１３が引っ張られても、そのことによって長繊維綿１５ａが圧縮されることはない。
【００３４】
このため、長繊維綿１５ａに荷重がかかるときのほか、不必要に圧縮力が作用することはなく、長繊維綿１５ａが収納部１４の幅方向の端から離れる方向に不測の移動してしまうことを抑制して、所望の機能を果たさせることができる。
【００３５】
また長繊維綿１５ａを取り巻く仕切り１６はメッシュ地からなるので、軽量であるうえに、長繊維綿１５ａとの間の接触抵抗で長繊維綿１５ａの動きを制限して、所望の作用効果を得られる。
【００３６】
以上はこの発明を実施するための一形態であって、この発明は前記の構成に限定されるものではなく、その他の構成を採用することもできる。
【００３７】
たとえば、前述の構成では収納部を２層としたが、仕切りの形状を変えて３層以上にすることができる。
【符号の説明】
【００３８】
１１…寝袋
１２…表地
１３…裏地
１４…収納部
１５…充填物
１５ａ…長繊維綿
１６…仕切り
１６ａ…仕切り担体
【図１】
2014226336.tif 000003
【図２】
2014226336.tif 000004
【図３】
2014226336.tif 000005
【図４】
2014226336.tif 000006
【図５】
2014226336.tif 000007
【図６】
2014226336.tif 000008